(57)【要約】【課題】不意な充填物の吐出をせず、操作が簡単で、高級感を持った化粧容器を提供する。【解決手段】プッシュボタン２２のプッシュ操作により充填物をプッシュボタン２２の側方に突出したノズル２３から吐出させるポンプが頭部に装着された筒状のボトル２を収容する化粧容器であって、化粧容器本体１は、上部本体３と下部栓体４とからなり、上部本体３は、ボトルを挿入・把持可能な内形状をし、上部が先細りに丸味を帯びたロケット形状で、指のプッシュ操作が可能でノズル２３の吐出方向を定めて突出させる割開口３１が頂部３４を含み前後に形成され、底部にボトル２を挿入させる底開口３０が形成され、下部栓体４はボトル２が脱落しないように底開口３０を塞ぐと共に上部本体３を安定して起立させる形態に形成されている。【選択図】図１
2019004925.tif 000002
【特許請求の範囲】
【請求項１】
プッシュボタンのプッシュ操作により充填物を前記プッシュボタンの側方に突出したノズルから吐出させるポンプが頭部に装着された筒状のボトルを収容する化粧容器であって、
前記化粧容器本体は、上部本体と下部栓体とからなり、
前記上部本体は、前記ボトルを挿入・把持可能な内形状をし、上部が先細りに丸味を帯びたロケット形状で、指のプッシュ操作が可能で前記ノズルの吐出方向を定めて突出させる割開口が頂部を含み前後に形成され、底部に前記ボトルを挿入させる底開口が形成され、
前記下部栓体は前記ボトルが脱落しないように前記底開口を塞ぐと共に前記上部本体を安定して起立させる形態に形成されていることを特徴とする化粧容器。
【請求項２】
請求項１に記載の化粧容器において、
前記割開口は、前記ノズル側開口とプッシュ操作側開口とからなり、
前記ノズル側開口は前記ノズルがプッシュ操作での移動中に外れないような幅と形状を有しており、
前記プッシュ操作側開口は指のプッシュ操作に支障のない幅と形状を有していることを特徴とする化粧容器。
【請求項３】
請求項１又は請求項２に記載の化粧容器において、
前記下部栓体は略円錐台形を呈し、前記上部本体の下部を覆い、前記底開口を塞ぐことを特徴とする化粧容器。
【発明の詳細な説明】
【技術分野】
【０００１】
本発明は、化粧容器に関する。
【背景技術】
【０００２】
従来の化粧容器にあっては、充填物を収容する容器本体と、プッシュボタンのプッシュ操作によりノズルから充填物を吐出させる吐出機構とを備えるものがある。
【０００３】
プッシュボタンは、指以外の他の物が万が一接触して充填物が不意に飛び出すことを防ぐためのキャップが取り付けられている（特許文献１参照）。
【先行技術文献】
【特許文献】
【０００４】
【特許文献１】特開２０１１−１０５６５１号公報
【発明の概要】
【発明が解決しようとする課題】
【０００５】
上述した化粧容器は、使用に際しては、キャップを取り外して脇に置き、容器本体を手で握り、指でプッシュボタンを操作して充填物を吐出させ、使用後はキャップを取り付けている。したがって、プッシュボタンに対してキャップをいちいち着脱するのが面倒であり、キャップを床に落とすなどして紛失する恐れがあった。
【０００６】
また、キャップがありふれた形状で新鮮味がなく、化粧容器としてデザインが安っぽく、高級感がなかった。
【０００７】
本発明は、上記の事情に鑑みて為されたもので、指以外の他の物がプッシュボタンに接触することによる不意の充填物の飛び出しを防止し、面倒なキャップの着脱操作を廃止し、さらには高級感を付与した化粧容器を提供することを目的とする。
【課題を解決するための手段】
【０００８】
上記した目的を達成するために、本発明は、プッシュボタンのプッシュ操作により充填物をプッシュボタンの側方に突出したノズルから吐出させるポンプが頭部に装着された筒状のボトルを収容する化粧容器であって、化粧容器本体は、上部本体と下部栓体とからなり、上部本体は、ボトルを挿入、把持可能な内形状をし、上部が先細りに丸味を帯びたロケット形状で、指のプッシュ操作が可能でノズルの吐出方向を定めて突出させる割開口が頂部を含み前後に形成され、底部にボトルを挿入させる底開口が形成され、下部栓体はボトルが脱落しないように底開口を塞ぐと共に上部本体を安定して起立させる形態に形成されている化粧容器としている。
【発明の効果】
【０００９】
このように構成された本発明に係る化粧容器では、プッシュボタンが上部本体の丸味を帯びた上部で覆われ、不意のプッシュ操作がなされず、充填物の吐出がなされない。さらに、キャップを無くし、上部をロケット形状に丸味を帯びた先細りにしたことにより、スッキリとした高級感あふれるデザインの化粧容器とすることができる。しかも、面倒なキャップの着脱がなくなることは勿論、キャップの紛失を危惧することがない。単にプッシュボタンをプッシュ操作するだけで充填物を吐出させることができる。
【図面の簡単な説明】
【００１０】
【図１】本発明の実施例に係る化粧容器の斜視図である。
【図２】図１に係る化粧容器の平面図である。
【図３】図１に係る化粧容器の底面図である。
【図４】本発明の実施例に係る化粧容器の分解図である。
【発明を実施するための形態】
【００１１】
以下、この発明に係る化粧容器の実施の形態である実施例を図面に基づいて説明する。
（化粧容器の構造の説明）
本実施例に係る化粧容器を図１に示す。図中、符号２はボトルである。ボトル２は、充填物（例えば化粧水）を充填している有底筒体状の充填部２０と、充填部２０の上部でボトル２の頭部に装着されたポンプ２１とから構成されている。ポンプ２１は、充填部２０内の充填物中に延びる図示しない吸管と、吸管に接続されるプッシュボタン２２と、プッシュボタン２２の側方に突出したノズル２３とから構成されている。ポンプ２１は、プッシュボタン２２のプッシュ操作により充填物をノズル２３から吐出させる。
【００１２】
化粧容器本体１は、上部本体３と、上部本体３と着脱自在とされた下部栓体４とからなり、上部本体３は、底部にボトル２を挿入させる底開口３０が形成されてボトル２を収容している。
【００１３】
上部本体３は、筒状（ここでは円筒状）を呈し、ボトル２を挿入・把持可能な内形状をし、上部が先細りに丸味を帯びたロケット形状を呈している。
【００１４】
上部本体３の筒部内側は、上方に向かうに連れて幅が狭くなるテーパ面が形成されている。
【００１５】
上部本体３のうち上部を除く他の部分の内径寸法は、ボトル２の径方向寸法と略同じである。
【００１６】
また、上部本体３の先細りに丸味を帯びた上部には、指のプッシュ操作が可能なプッシュ操作側開口３２と、ノズル２３をわずかに幅を規制して突出させてノズル２３の吐出方向を定めて突出させるノズル側開口３３とからなる割開口３１が頂部３４を含み前後に連続して形成されている。
【００１７】
具体的には、プッシュ操作側開口３２は指のプッシュ操作に支障のない幅と形状を有している。
【００１８】
ノズル側開口３３はノズル２３がプッシュボタン２２のプッシュ操作での移動中に外れないような幅と形状を有している。
【００１９】
プッシュ操作側開口３２とノズル側開口３３とからなる割開口３１は、丸く滑らかな面取りがなされ、指など怪我をさせないような配慮がなされている。
【００２０】
上部本体３は、例えば、ＰＥＴや透明なアクリル等を用いてブロー成形又は射出成形により形成される。
【００２１】
一方、下部栓体４は略円錐台形を呈し、上部本体３の下部を覆い、底開口３０を塞ぐ形状を呈している。したがって、下部栓体４は、例えば、シリコンゴム及び軟質ポリエチレンで形成されており、ボトル２が脱落しないように底開口３０を塞ぐと共に上部本体３を安定して起立させる形態に形成されている。
（化粧容器の組立手順の説明）
次に、このような構成を有する化粧容器の組立手順を、図２〜図４を用いて説明する。
【００２２】
先ず、ボトル２及び上部本体３の中心軸を一致させた状態で、ボトル２の頭部を上部本体３の底開口３０から挿入していき、上部本体３の割開口３１側へ送り込む。
【００２３】
次に、ボトル２の外周を上部本体３のテーパ面に突き当てることで、上部本体３にボトル２が把持・係合される。このテーパ面は、射出成形時の型や製品の抜き勾配でもある。
【００２４】
次に、下部栓体４の凹設面４０（図３参照）を上部本体３の下部に差し込み、下部栓体４で上部本体３の底開口３０を塞ぐ。これにより、把持・挿入されたボトル２は脱落することはない。
【００２５】
このように構成された化粧容器本体１では、上部本体３は、上部が先細りに丸味を帯びたロケット形状で、プッシュボタン２２、ノズル２３が覆われており、指以外の他の物がプッシュボタン２２に接触しにくい構造のため、不意の充填物の吐出の恐れはない。ノズル２３の方向性が一定とされており、吐出方向が一定で吐出先を狂わせることはない。
【００２６】
さらに、化粧容器本体１は、キャップを無くし丸味を帯びた先細り筒体とし、安定した下部栓体４で据え置きするようにしたことにより、スッキリとした高級感あふれるデザインの化粧容器とすることができた。しかも、面倒なキャップの着脱がなくなることは勿論、キャップの紛失を危惧する必要がなくなる。
【００２７】
さらに、上部本体３は割開口３１により上方が空いているので、操作がし易く、単にプッシュボタン２２をプッシュ操作するだけで充填物を取り出すことができることは勿論、ボトル２を装着し易い。上部本体３は底開口３０により下方も空いているので、下方からボトル２を装着し易い。装着後、下部栓体４は、シリコンゴム及び軟質ポリエチレンとしているので、化粧台上を傷付けたり、滑ることのない安定した下部栓体４とすることができる。下部栓体４にシリコンゴム及び軟質ポリエチレンを使用するときには、さらに美感に溢れ、耐薬品性にも優れる。
【００２８】
以上、化粧容器は、内在させるボトルを保護し、美感を付与するもので、充填物は化粧品に限るものではなく、他の材料のものでもよい。
【００２９】
この発明は、上記実施形態に限られるものではなく、特許請求の範囲の各請求項に係る発明の要旨を逸脱しない限り、設計の変更や追加等は許容される。
【符号の説明】
【００３０】
１  化粧容器本体
２  ボトル
３  上部本体
４  下部栓体
２０  充填部
２１  ポンプ
２２  プッシュボタン
２３  ノズル
３０  底開口
３１  割開口
３２  プッシュ操作側開口
３３  ノズル側開口
３４  頂部
【図１】
2019004925.tif 000003
【図２】
2019004925.tif 000004
【図３】
2019004925.tif 000005
【図４】
2019004925.tif 000006